(57)【要約】【課題】パチンコ玉を適切に搬送できる玉搬送装置を提供する。【解決手段】島構造体に設けられ、パチンコ玉Ｐを遊技本体の並び方向に略沿って搬送する玉搬送装置であって、搬入されるパチンコ玉Ｐを上方へ移動させて補給樋の上流側端部へ搬送する玉搬送ユニット５２０と、パチンコ玉Ｐの移動状態を検出する樋側検出センサ、可動検出スイッチＣ２、搬出センサＣ３、およびドラムトルクセンサと、これらで検出された移動状態に基づいてパチンコ玉Ｐが詰まり状態であると判断すると玉搬送ユニット５２０の駆動を停止させる制御をする制御装置と、を具備した。【選択図】図５
2008036235.tif 000002
【特許請求の範囲】
【請求項１】
遊技媒体を用いて遊技される遊技装置を略並列に複数設置する島構造体に設けられ、前記遊技媒体を前記遊技装置の並び方向に略沿って搬送する遊技媒体搬送システムであって、
前記遊技装置の並び方向と略同一方向に長手に設けられて、前記遊技媒体を搬送する搬送レーンと、
前記遊技媒体が搬入される搬入口と、
この搬入口に搬入された前記遊技媒体を上方へ移動させて前記搬送レーンの前記遊技媒体の移動方向における上流側端部近傍へ搬送する搬送部と、
前記搬送レーンの上流側端部に連結されて、この搬送レーンに前記搬送部により搬送された前記遊技媒体を搬出する搬出口と、
前記遊技媒体の移動状態を検出する移動状態検出手段と、
この移動状態検出手段で検出された前記移動状態に基づいて、前記遊技媒体が詰まり状態であると判断すると、前記搬送部による前記遊技媒体の搬送を停止させる制御をする制御手段と、
を具備したことを特徴とした遊技媒体搬送システム。
【請求項２】
請求項１に記載の遊技媒体搬送システムであって、
前記搬送レーンは、
前記遊技装置の並び方向と略同一方向に長手に設けられて、前記遊技媒体が自重により移動可能な傾斜角度にて傾斜する第一搬送レーンと、
前記遊技装置の並び方向と略同一方向に長手に設けられて、前記遊技媒体が自重により移動可能な傾斜角度にて傾斜するとともに、前記遊技媒体の移動方向における上流側端部が前記第一搬送レーンの前記遊技媒体の移動方向における下流側端部よりも高い高さ位置に設けられる第二搬送レーンと、を備え、
前記搬入口は、前記第一搬送レーンの下流側端部に連結されて、前記第一搬送レーンから前記遊技媒体が搬入され、
前記搬送部は、前記搬入口に搬入された前記遊技媒体を前記第二搬送レーンの上流側端部近傍へ搬送し、
前記搬出口は、前記第二搬送レーンの上流側端部に連結されて、この第二搬送レーンに前記搬送部により搬送された前記遊技媒体を搬出する
ことを特徴とした遊技媒体搬送システム。
【請求項３】
請求項１または請求項２に記載の遊技媒体搬送システムであって、
前記移動状態検出手段は、前記搬出口近傍における前記遊技媒体の搬出状態を検出する搬出状態検出手段を備え、
前記制御手段は、前記搬出状態検出手段にて検出された前記搬出状態に基づいて、前記遊技媒体が詰まり状態であると判断すると、前記搬送部による前記搬送を停止させる制御をする
ことを特徴とした遊技媒体搬送システム。
【請求項４】
請求項１ないし請求項３のいずれかに記載の遊技媒体搬送システムであって、
前記移動状態検出手段は、前記搬入口近傍における前記遊技媒体の搬入状態を検出する搬入状態検出手段を備え、
前記制御手段は、前記搬入状態検出手段にて検出された前記搬入状態に基づいて、前記遊技媒体が詰まり状態であると判断すると、前記搬送部による前記搬送を停止させる制御をする
ことを特徴とした遊技媒体搬送システム。
【請求項５】
請求項４に記載の遊技媒体搬送システムであって、
前記搬送レーンは、
前記遊技装置の並び方向と略同一方向に長手に設けられて、前記遊技媒体が自重により移動可能な傾斜角度にて傾斜する第一搬送レーンと、
前記遊技装置の並び方向と略同一方向に長手に設けられて、前記遊技媒体が自重により移動可能な傾斜角度にて傾斜するとともに、前記遊技媒体の移動方向における上流側端部が前記第一搬送レーンの前記遊技媒体の移動方向における下流側端部よりも高い高さ位置に設けられる第二搬送レーンと、を備え、
前記搬入口は、前記第一搬送レーンの下流側端部に連結されて、前記第一搬送レーンから前記遊技媒体が搬入され、
前記搬送部は、前記搬入口に搬入された前記遊技媒体を前記第二搬送レーンの上流側端部近傍へ搬送し、
前記搬出口は、前記第二搬送レーンの上流側端部に連結されて、この第二搬送レーンに前記搬送部により搬送された前記遊技媒体を搬出し、
前記搬入状態検出手段は、前記第一搬送レーンの下流側における前記遊技媒体の移動状態を検出する下流状態検出手段を備え、
前記制御手段は、前記下流状態検出手段にて検出された前記移動状態に基づいて、前記遊技媒体が詰まり状態であると判断すると、前記搬送部による前記搬送を停止させる制御をする
ことを特徴とした遊技媒体搬送システム。
【請求項６】
請求項４または請求項５に記載の遊技媒体搬送システムであって、
前記搬送部は、
前記搬入口に略連続して設けられるとともに、上方に向かって傾斜する搬送経路面を備えた搬送経路部と、
前記搬送経路面に対向して、この搬送経路面に少なくとも一部が略沿って移動可能に設けられるとともに、前記遊技媒体を掻き揚げる状態に互いに離隔して設けられる複数のフィンを備えた搬送部材と、
前記搬送部材を前記フィンの少なくとも一部が前記搬送経路面に略沿って上方に移動する状態に駆動させる駆動手段と、を備え、
前記搬入状態検出手段は、前記搬入口および前記搬送経路部の間に設けられ、前記フィンにより遊技媒体が略下方に押圧された際の押圧状態を検出する押圧状態検出手段を備え、
前記制御手段は、前記押圧状態検出手段にて検出された前記押圧状態に応じて、所定の押圧力以上で押圧されたと判断すると、前記遊技媒体が詰まり状態であると判断する
ことを特徴とした遊技媒体搬送システム。
【請求項７】
請求項６に記載の遊技媒体搬送システムであって、
前記押圧状態検出手段は、
前記搬入口および前記搬送経路部の間に設けられ、前記フィンにより遊技媒体が押圧されるとこの押圧方向に移動する可動板と、
この可動板の移動状態を前記押圧状態として検出する可動板移動状態検出手段と、を備え、
前記制御手段は、前記可動板移動検出手段にて検出された前記移動状態に応じて、前記可動板が所定量以上移動したと判断すると、前記遊技媒体が詰まり状態であると判断する
ことを特徴とした遊技媒体搬送システム。
【請求項８】
請求項７に記載の遊技媒体搬送システムであって、
前記可動板は、前記搬送経路部側の端部近傍に設けられた回動軸を中心に前記搬入口側の端部が押圧方向に回動する状態で設けられた
ことを特徴とした遊技媒体搬送システム。
【請求項９】
請求項７または請求項８に記載の遊技媒体搬送システムであって、
前記押圧状態検出手段は、
前記可動板を前記押圧方向と反対方向に付勢する付勢手段を備えた
ことを特徴とした遊技媒体搬送システム。
【請求項１０】
請求項１ないし請求項９のいずれかに記載の遊技媒体搬送システムであって、
前記搬送部は、
前記搬入口に略連続して設けられるとともに、上方に向かって傾斜する搬送経路面を備えた搬送経路部と、
前記搬送経路面に対向して、この搬送経路面に少なくとも一部が略沿って移動可能に設けられるとともに、前記遊技媒体を掻き揚げる状態に互いに離隔して設けられる複数のフィンを備えた搬送部材と、
前記搬送部材を前記フィンの少なくとも一部が前記搬送経路面に略沿って上方に移動する状態に駆動させる駆動手段と、を備え、
前記移動状態検出手段は、前記搬送部材の駆動速度を検出する駆動状態検出手段を備え、
前記制御手段は、前記駆動手段の駆動状態に対して、前記駆動状態検出手段にて検出された前記搬送部材の前記駆動速度が所定速度以下であると判断すると、前記駆動手段の駆動を停止させる制御をする
ことを特徴とした遊技媒体搬送システム。
【請求項１１】
請求項１ないし請求項１０のいずれかに記載の遊技媒体搬送システムであって、
前記搬送レーンに設けられるとともに、前記遊技媒体を前記遊技装置に供給する遊技媒体供給部を具備した
ことを特徴とした遊技媒体搬送システム。
【発明の詳細な説明】
【技術分野】
【０００１】
本発明は、遊技装置で遊技するための遊技媒体を搬送する遊技媒体搬送システムに関する。
【背景技術】
【０００２】
従来、例えば一般的に「パチンコ」と称される遊技装置は、娯楽設備として広く知られている。この遊技装置は、複数並設されて島構造体を構成して配置されている。この島構造体の上部には、例えばパチンコ玉などの遊技媒体を各遊技装置に搬送し、配給する遊技媒体搬送装置が設けられている（例えば、特許文献１参照）。
【０００３】
この特許文献１に記載のものは、計数器から投入されたパチンコ玉を、島の中央側に向かって下降傾斜する計数玉回収樋を通してメインタンクに搬送し、メインタンクの下流側端部に接続された集球機から島中央に立設された揚送研磨機を用いて島上部に設けられる上部タンクに搬送する。そして、上部タンクから島の端部に向かって下降傾斜する補給樋を設け、上部タンクに搬送されたパチンコ玉を補給樋に送り出し、補給樋に設けられる補給パイプから各遊技機にパチンコ玉を補給する構成が採られている。
【０００４】
【特許文献１】特開２００５−２６１７３３号公報
【発明の開示】
【発明が解決しようとする課題】
【０００５】
しかしながら、上記のような従来の技術では、例えば補給樋の途中でパチンコ玉がつまった場合、このつまった部分に余計なパチンコ玉が送り出され続けるおそれがあるという問題点が一例として挙げられる。
【０００６】
本発明は、上記問題に鑑み、遊技媒体を適切に搬送可能な遊技媒体搬送システムを提供することを目的とする。
【課題を解決するための手段】
【０００７】
本発明の遊技媒体搬送システムは、遊技媒体を用いて遊技される遊技装置を略並列に複数設置する島構造体に設けられ、前記遊技媒体を前記遊技装置の並び方向に略沿って搬送する遊技媒体搬送システムであって、前記遊技装置の並び方向と略同一方向に長手に設けられて、前記遊技媒体を搬送する搬送レーンと、前記遊技媒体が搬入される搬入口と、この搬入口に搬入された前記遊技媒体を上方へ移動させて前記搬送レーンの前記遊技媒体の移動方向における上流側端部近傍へ搬送する搬送部と、前記搬送レーンの上流側端部に連結されて、この搬送レーンに前記搬送部により搬送された前記遊技媒体を搬出する搬出口と、前記遊技媒体の移動状態を検出する移動状態検出手段と、この移動状態検出手段で検出された前記移動状態に基づいて、前記遊技媒体が詰まり状態であると判断すると、前記搬送部による前記遊技媒体の搬送を停止させる制御をする制御手段と、を具備したことを特徴とする。
この発明によれば、遊技媒体搬送システムに、遊技媒体を搬送する搬送レーンと、搬入口から搬入される遊技媒体を上方へ搬送して搬送レーンの上流側端部に連結された搬出口へ搬送して搬出させる搬送部と、遊技媒体の移動状態を検出する移動状態検出手段と、を設けている。そして、制御手段にて、移動状態検出手段で検出された移動状態に基づいて、遊技媒体が詰まり状態であると判断すると、搬送部による遊技媒体の搬送を停止させる制御をする。
このため、遊技媒体搬送システムは、搬送レーンで遊技媒体が詰まった場合に、搬送部による遊技媒体の搬送レーンへの搬送を停止させることができる。したがって、この詰まった部分に余計な遊技媒体が搬送され続けることを防止でき、遊技媒体を適切に搬送できる。
【０００８】
本発明の遊技媒体搬送システムでは、前記搬送レーンは、前記遊技装置の並び方向と略同一方向に長手に設けられて、前記遊技媒体が自重により移動可能な傾斜角度にて傾斜する第一搬送レーンと、前記遊技装置の並び方向と略同一方向に長手に設けられて、前記遊技媒体が自重により移動可能な傾斜角度にて傾斜するとともに、前記遊技媒体の移動方向における上流側端部が前記第一搬送レーンの前記遊技媒体の移動方向における下流側端部よりも高い高さ位置に設けられる第二搬送レーンと、を備え、前記搬入口は、前記第一搬送レーンの下流側端部に連結されて、前記第一搬送レーンから前記遊技媒体が搬入され、前記搬送部は、前記搬入口に搬入された前記遊技媒体を前記第二搬送レーンの上流側端部近傍へ搬送し、前記搬出口は、前記第二搬送レーンの上流側端部に連結されて、この第二搬送レーンに前記搬送部により搬送された前記遊技媒体を搬出する構成が好ましい。
この発明によれば、搬送レーンとして、遊技媒体が自重により移動可能な傾斜角度にて傾斜する第一搬送レーンと、遊技媒体が自重により移動可能な傾斜角度にて傾斜するとともに、上流側端部が第一搬送レーンの下流側端部よりも高い高さ位置に設けられる第二搬送レーンと、を設けている。そして、搬送部にて、第一搬送レーンの下流側端部に連結された搬入口から搬入される遊技媒体を上方へ搬送して、第二搬送レーンの上流側端部に連結された搬出口へ搬送して搬出させる。
このため、遊技媒体搬送システムは、搬送部にて、第一搬送レーンの下流側端部まで移動した遊技媒体を上方へ移動させて、第二搬送レーンの上流側端部へ搬送することにより、遊技媒体を遊技装置の並び方向に略沿って搬送することができる。したがって、島構造体の長さ寸法が長くなったとしても、第一搬送レーンの上流側端部の位置と、第二搬送レーンの下流側端部の位置と、の鉛直方向の寸法差を最小限に抑えた状態で、遊技媒体を案内できる。よって、島構造体の高さをも低くすることができる。また、島構造体の設置作業を容易に実施でき、島構造体の上端部と天井面との間に十分な隙間を設けることも可能となるため、空調の効率の向上や、防犯面の強化を図ることができる。
【０００９】
本発明の遊技媒体搬送システムでは、前記移動状態検出手段は、前記搬出口近傍における前記遊技媒体の搬出状態を検出する搬出状態検出手段を備え、前記制御手段は、前記搬出状態検出手段にて検出された前記搬出状態に基づいて、前記遊技媒体が詰まり状態であると判断すると、前記搬送部による前記搬送を停止させる制御をする構成が好ましい。
この発明によれば、移動状態検出手段に、搬出口近傍での遊技媒体の搬出状態を検出する搬出状態検出手段を設け、搬出状態検出手段にて検出された搬出近傍での搬出状態に基づいて、搬送部による搬送を適宜停止させる構成としている。
このため、搬出先での遊技媒体の搬出状態を検出することにより、この搬出先へ補給される余計な遊技媒体の数を最小限に抑えることができる。
【００１０】
本発明の遊技媒体搬送システムでは、前記移動状態検出手段は、前記搬入口近傍における前記遊技媒体の搬入状態を検出する搬入状態検出手段を備え、前記制御手段は、前記搬入状態検出手段にて検出された前記搬入状態に基づいて、前記遊技媒体が詰まり状態であると判断すると、前記搬送部による前記搬送を停止させる制御をする構成が好ましい。
この発明によれば、移動状態検出手段に、搬入口近傍での遊技媒体の搬入状態を検出する搬入状態検出手段を設け、搬入状態検出手段にて検出された搬入口近傍での搬入状態に基づいて、搬送部による搬送を適宜停止させる構成としている。
このため、搬入口近傍において遊技媒体が詰まった場合に、この詰まった遊技媒体を搬送させる状態に搬送部を駆動させることがなく、搬送部の処理負荷の増加や破損を防止できる。
【００１１】
本発明の遊技媒体搬送システムでは、前記搬送レーンは、前記遊技装置の並び方向と略同一方向に長手に設けられて、前記遊技媒体が自重により移動可能な傾斜角度にて傾斜する第一搬送レーンと、前記遊技装置の並び方向と略同一方向に長手に設けられて、前記遊技媒体が自重により移動可能な傾斜角度にて傾斜するとともに、前記遊技媒体の移動方向における上流側端部が前記第一搬送レーンの前記遊技媒体の移動方向における下流側端部よりも高い高さ位置に設けられる第二搬送レーンと、を備え、前記搬入口は、前記第一搬送レーンの下流側端部に連結されて、前記第一搬送レーンから前記遊技媒体が搬入され、前記搬送部は、前記搬入口に搬入された前記遊技媒体を前記第二搬送レーンの上流側端部近傍へ搬送し、前記搬出口は、前記第二搬送レーンの上流側端部に連結されて、この第二搬送レーンに前記搬送部により搬送された前記遊技媒体を搬出し、前記搬入状態検出手段は、前記第一搬送レーンの下流側における前記遊技媒体の移動状態を検出する下流状態検出手段を備え、前記制御手段は、前記下流状態検出手段にて検出された前記移動状態に基づいて、前記遊技媒体が詰まり状態であると判断すると、前記搬送部による前記搬送を停止させる制御をする構成が好ましい。
この発明によれば、搬入状態検出手段に、第一搬送レーンの下流側における遊技媒体の移動状態を検出する下流状態検出手段を設け、この下流状態検出手段にて検出された第一搬送レーンの下流側における移動状態に基づいて、搬送部による搬送を適宜停止させる構成としている。
このため、例えば第一搬送レーンの下流側に多量の遊技媒体が存在する場合に、搬送部の駆動を停止でき、多量の遊技媒体を一度に搬送することによる搬送部の処理負荷の急激な増加や破損を未然に防止できる。
【００１２】
本発明の遊技媒体搬送システムでは、前記搬送部は、前記搬入口に略連続して設けられるとともに、上方に向かって傾斜する搬送経路面を備えた搬送経路部と、前記搬送経路面に対向して、この搬送経路面に少なくとも一部が略沿って移動可能に設けられるとともに、前記遊技媒体を掻き揚げる状態に互いに離隔して設けられる複数のフィンを備えた搬送部材と、前記搬送部材を前記フィンの少なくとも一部が前記搬送経路面に略沿って上方に移動する状態に駆動させる駆動手段と、を備え、前記搬入状態検出手段は、前記搬入口および前記搬送経路部の間に設けられ、前記フィンにより遊技媒体が略下方に押圧された際の押圧状態を検出する押圧状態検出手段を備え、前記制御手段は、前記押圧状態検出手段にて検出された前記押圧状態に応じて、所定の押圧力以上で押圧されたと判断すると、前記遊技媒体が詰まり状態であると判断する構成が好ましい。
この発明によれば、搬送部に、搬入口に略連続して設けられて上方傾斜する搬送経路部の搬送経路面に対向して、この搬送経路面に少なくとも一部が略沿って移動可能で、遊技媒体を掻き揚げる状態に所定間隔で離隔して略平行に設けられる複数のフィンを備えた搬送部材を設け、駆動手段によりこの搬送部材のフィンを搬送経路面に略沿って上方に移動させている。さらに、移動状態検出手段に、フィンにより遊技媒体が略下方に押圧された際の押圧状態を検出する押圧状態検出手段を設け、この押圧状態検出手段にて検出された押圧状態に応じて、所定の押圧力以上で押圧されたと判断した場合に、遊技媒体が詰まり状態であると判断する構成としている。
このため、例えばフィンと搬送経路部近傍との間に遊技媒体が詰まった場合、フィンによる遊技媒体の略下方への押圧状態を検出するだけで、容易に搬入口の詰まり状態を認識することができる。
【００１３】
本発明の遊技媒体搬送システムでは、前記押圧状態検出手段は、前記搬入口および前記搬送経路部の間に設けられ、前記フィンにより遊技媒体が押圧されるとこの押圧方向に移動する可動板と、この可動板の移動状態を前記押圧状態として検出する可動板移動状態検出手段と、を備え、前記制御手段は、前記可動板移動検出手段にて検出された前記移動状態に応じて、前記可動板が所定量以上移動したと判断すると、前記遊技媒体が詰まり状態であると判断する構成が好ましい。
この発明によれば、押圧状態検出手段に、搬入口および搬送経路部の間に設けられ、フィンにより遊技媒体が押圧された方向に移動する可動板と、この可動板の移動状態を検出する可動板移動状態検出手段と、を設け、この可動板移動状態検出手段で検出した可動板の移動状態に基づいて、遊技媒体が詰まり状態であると判断する構成としている。
このため、可動板の移動量を検出するだけでフィンによる遊技媒体の押圧状態を検出でき、構成の簡略化を容易に図ることができる。
【００１４】
本発明の遊技媒体搬送システムでは、前記可動板は、前記搬送経路部側の端部近傍に設けられた回動軸を中心に前記搬入口側の端部が押圧方向に回動する状態で設けられた構成が好ましい。
ここで、可動板を、搬入口側の回動軸を中心に搬送経路部側が押圧方向に回動する状態で設けると、可動板が所定量未満だけ回動した際に可動板と搬送経路部との間にできる段差により、遊技媒体を搬送できないおそれがある。
これに対して、この発明によれば、可動板を、搬送経路部側の端部近傍に設けられた回動軸を中心に、搬入口側の端部が押圧方向に回動する状態で設けているので、可動板が所定量未満だけ回動した際に可動板と搬送経路部との間にできる段差を最小限に抑えることができ、遊技媒体の搬送を継続できる。したがって、遊技媒体搬送システムは、さらに適切に遊技媒体を搬送できる。
【００１５】
本発明の遊技媒体搬送システムでは、前記押圧状態検出手段は、前記可動板を前記押圧方向と反対方向に付勢する付勢手段を備えた構成が好ましい。
この発明によれば、可動板を遊技媒体による押圧方向と反対方向に付勢する付勢手段を設けている。
このため、例えば可動板を所定量未満だけ押圧方向に移動させた遊技媒体が搬送された後に、可動板を元の位置に戻す作業を実施することなく、新たな遊技媒体の搬送を継続でき、遊技媒体搬送システムの管理を容易にできる。
【００１６】
本発明の遊技媒体搬送システムでは、前記搬送部は、前記搬入口に略連続して設けられるとともに、上方に向かって傾斜する搬送経路面を備えた搬送経路部と、前記搬送経路面に対向して、この搬送経路面に少なくとも一部が略沿って移動可能に設けられるとともに、前記遊技媒体を掻き揚げる状態に互いに離隔して設けられる複数のフィンを備えた搬送部材と、前記搬送部材を前記フィンの少なくとも一部が前記搬送経路面に略沿って上方に移動する状態に駆動させる駆動手段と、を備え、前記移動状態検出手段は、前記搬送部材の駆動速度を検出する駆動状態検出手段を備え、前記制御手段は、前記駆動手段の駆動状態に対して、前記駆動状態検出手段にて検出された前記搬送部材の前記駆動速度が所定速度以下であると判断すると、前記駆動手段の駆動を停止させる制御をする構成が好ましい。
ここで、駆動手段に供給する電力に対して搬送部材の駆動速度が遅い場合や搬送部材が停止している場合、フィンと搬送経路部との間などに遊技媒体が詰まり、動作不良を起こしているおそれがあり、さらに搬送部材を駆動させると搬送部材や搬送経路部が破損するなどして復旧不可能状態となるおそれがある。
これに対して、この発明によれば、移動状態検出手段に、搬送部材の駆動速度を検出する駆動状態検出手段を設け、この駆動状態検出手段にて検出される搬送部材の駆動速度が所定速度以下である場合に駆動手段の駆動を停止させている。
このため、駆動手段に供給する電力に対して搬送部材の駆動速度が遅い場合や搬送部材が停止している場合、フィンと搬送経路部との間などに遊技媒体が詰まって動作不良を起こしている場合でも、駆動手段を緊急停止させることができる。したがって、搬送部材や搬送経路部の破損、復旧不可能状態の発生を回避することができる。
【００１７】
本発明の遊技媒体搬送システムでは、前記搬送レーンに設けられるとともに、前記遊技媒体を前記遊技装置に供給する遊技媒体供給部を具備した構成が好ましい。
この発明によれば、遊技媒体を搬送しながら遊技装置へ供給でき、遊技媒体搬送システムの利便性を向上できる。
【発明を実施するための最良の形態】
【００１８】
以下、本発明に係る一実施の形態としての遊技システムについて図面を参照して説明する。なお、本実施の形態では、いわゆる「パチンコ」と称されるパチンコ式遊技装置を用いて説明するが、これに限らず、例えば球状の遊技媒体を用いて遊技するスロットマシーン、業務用テレビゲーム機などにも適用できる。
【００１９】
〔遊技システムの構成〕
図１は、本実施の形態における遊技システムの一部を示す正面図である。図２は、遊技システムの上部の玉搬送装置の一部を示す正面図である。図３は、図２の玉搬送ユニットの近傍をさらに拡大した正面図である。図４は、玉搬送装置における補給樋の斜視図である。図５は、図３の玉搬送ユニットを拡大した拡大正面図である。図６は、玉搬送ユニットの断面図である。図７は、玉搬送ユニットを天面側から見た平面図である。図８は、玉搬送ユニットにおける搬送ドラム部材を軸心に対して略直交する方向に断面した断面図である。図９は、搬送ドラム部材を構成する芯部の斜視図である。図１０は、搬送ドラム部材を構成するフィン設置筒部の斜視図である。
【００２０】
図１において、１００は、遊技システムで、この遊技システム１００は、島構造体２００と、遊技本体３００と、遊技媒体貸出装置４００と、遊技媒体搬送システムとしての玉搬送装置５００と、を備えている。この遊技システム１００は、「ホール」と称される店舗の床面上に複数の遊技本体３００および遊技媒体貸出装置４００が一体的に設置されて一体の独立構築物である島構造体２００に構成されている。なお、遊技本体３００と遊技媒体貸出装置４００とにより、本発明の遊技装置が構成される。
【００２１】
そして、この島構造体２００は、例えば木材やアルミニウム合金などにより矩形の枠組上に構成されている。この島構造体２００の長手方向に対する両側面には、遊技本体３００が嵌挿して閉塞される遊技機窓部２１０と、遊技媒体貸出装置４００が嵌挿して閉塞される貸出機窓部２２０と、揚送装置２５０が嵌挿して閉塞される図示しない揚送機窓部と、が対を成す状態で複数開口形成されている。なお、本実施の形態においては、島構造体２００の両側面に設けられる遊技機窓部２１０および貸出機窓部２２０が同数である場合について説明するが、両側面で数が異なる構造や、ホールの壁際に設けられる一面側にのみ開口する構造としてもよい。
また、島構造体２００の下部には、島回収手段２４０が設けられる回収収納部２６０が設けられ、島構造体２００の上部には、玉搬送装置５００が設けられる搬送収納部２７０が設けられている。そして、この島構造体２００には、遊技本体３００、遊技媒体貸出装置４００、揚送装置２５０、および玉搬送装置５００に電力を供給する電力供給手段と、これら遊技本体３００、遊技媒体貸出装置４００、揚送装置２５０、および玉搬送装置５００の動作を制御する制御装置と、などが設けられている。
【００２２】
島回収手段２４０は、図１に示すように、回収樋２４１と、複数の回収ホッパ２４２と、を備えている。回収樋２４１は、例えば略樋状に形成され、島構造体２００の端部側から揚送装置２５０に向かって下降傾斜するように設けられている。回収ホッパ２４２は、回収樋２４１の上方に、遊技本体３００の台数に対応した数で設けられている。この回収ホッパ２４２は、各遊技本体３００にて回収された遊技媒体としての略球状のパチンコ玉Ｐ（図５および図６参照）を回収樋２４１に送り出す。
【００２３】
揚送装置２５０は、前記したように、島構造体２００の略中央位置に遊技本体３００や遊技媒体貸出装置４００に隣接して設けられている。この揚送装置２５０は、回収樋２４１を転がって流れてきたパチンコ玉Ｐを収集し、収集したパチンコ玉Ｐを島構造体２００の上部に設けられる玉搬送装置５００に搬送する。具体的には、揚送装置２５０は、下端部に回収樋２４１が連結される玉収集口２５１と、上端部に設けられる玉排出口２５２と、玉収集口２５１から玉排出口２５２までパチンコ玉Ｐを搬送する図示しない揚送手段と、揚送手段を駆動させる図示しない駆動源と、を備えている。また、揚送装置２５０には、図示しない洗浄手段が設けられ、この洗浄手段により収集したパチンコ玉Ｐを洗浄する。
【００２４】
〔玉搬送装置の構成〕
玉搬送装置５００は、図１ないし図３に示すように、複数の搬送レーンとしての補給樋５１０と、これらの補給樋５１０を連結する玉搬送ユニット５２０と、図示しない制御手段としての制御装置と、などを備えている。ここで、玉搬送ユニット５２０を挟んで揚送装置２５０側に設けられる補給樋５１０が本発明における第一搬送レーンを構成し、玉搬送ユニット５２０を挟んで島構造体２００の端部側に設けられる補給樋５１０が第二搬送レーンを構成する。
【００２５】
補給樋５１０は、島構造体２００の遊技本体３００および遊技媒体貸出装置４００の並び方向と略同一方向に長手状に形成され、揚送装置２５０から島構造体２００の端部に向かって、例えば５分（２．８６度）の角度で下降傾斜する状態に設けられている。この補給樋５１０の長手方向の長さ寸法は、例えば図１に示すように２台分の遊技本体３００および遊技媒体貸出装置４００の長さ寸法に設定されている。これらの補給樋５１０のうち、揚送装置２５０に隣接配置される補給樋５１０の揚送装置２５０側の端部は、揚送装置２５０の玉排出口２５２に連結されている。また、島構造体２００の端部に配置される補給樋５１０は、図示しない端部回収ホッパに接続され、補給樋５１０の端部に到達したパチンコ玉Ｐは、この端部回収ホッパから島回収手段２４０の回収樋２４１に搬送される。さらに、互いに隣接して配置される補給樋５１０間には、玉搬送ユニット５２０が配設され、この玉搬送ユニット５２０にそれぞれの補給樋５１０の端部が連結されている。
そして、この補給樋５１０は、図４に示すように、補給樋本体５１１と、樋側面部材５１２と、樋天板５１３と、などを備えている。
【００２６】
補給樋本体５１１は、長手方向に沿って互いに平行して設けられる一対の保持部５１１Ａを備えている。この保持部５１１Ａは、下端部に側方が開口する略コ字状に形成されている。そして、補給樋本体５１１は、この保持部５１１Ａを搬送収納部２７０に設けられる図示しない係止部に係止することで保持されている。
【００２７】
また、保持部５１１Ａの上端部には、下部側壁部５１１Ｂが立ち上がって形成されている。この下部側壁部５１１Ｂの内面側、すなわち他方の下部側壁部５１１Ｂと対向する側には、搬送板保持部５１１Ｃが突出している。
そして、この搬送板保持部５１１Ｃの突出先端部から上方に搬送板足部５１１Ｄが下部側壁部５１１Ｂと対向して立上形成されている。また、この搬送板足部５１１Ｄの下部側壁部５１１Ｂと対向する面には、凹状溝５１１Ｄ１が補給樋本体５１１の長手方向に沿って形成されている。
【００２８】
さらに、補給樋本体５１１は、これらの一対の搬送板足部５１１Ｄの立上先端部を連結する搬送板５１１Ｅが設けられている。この搬送板５１１Ｅは、補給樋本体５１１の長手方向に略直交する方向に沿って、中央部が上方に盛り上がった湾曲形状に形成されている。これにより、搬送板５１１Ｅ上を転がるパチンコ玉Ｐは、搬送板５１１Ｅの側方に移動する。
【００２９】
また、搬送板５１１Ｅの下部には、下方に突出する略フック状の係合部５１１Ｆが一対設けられている。これらの係合部５１１Ｆは、互いに対向する方向にフック部が形成され、搬送板５１１Ｅの長手方向に沿って、搬送板５１１Ｅの略中央部に平行して設けられている。
【００３０】
樋側面部材５１２は、補給樋本体５１１の長手方向に沿う側面に沿って立設される略板状部材である。この樋側面部材５１２の下部は、補給樋本体５１１の内方に突出する凸部５１２Ａを有している。そして、この樋側面部材５１２は、下部を補給樋本体５１１の下部側壁部５１１Ｂと搬送板足部５１１Ｄとの間に挿通し、凸部５１２Ａを搬送板足部５１１Ｄの凹状溝５１１Ｄ１に係合することで補給樋本体５１１に固定されている。
また、樋側面部材５１２の上端部には、断面略円形の天面係合部５１２Ｂが設けられている。
【００３１】
さらに、樋側面部材５１２には、例えば遊技本体３００および遊技媒体貸出装置４００の上方の所定位置に対応して、玉出口５１２Ｃ（図１および図２参照）が開口形成されている。
この玉出口５１２Ｃには、それぞれ遊技媒体供給部としての玉補給シュート５１４が取り付けられている。この玉補給シュート５１４は、図１および図２に示すように、それぞれ遊技本体３００または遊技媒体貸出装置４００に連結されている。
そして、この玉補給シュート５１４には、図示しない電動開閉弁が設けられ、この電動開閉弁は、遊技本体３００や遊技媒体貸出装置４００と電気的に接続されている。そして、例えば遊技本体３００や遊技媒体貸出装置４００から所定の信号が入力されると、電動開閉弁が開状態となり、搬送板５１１Ｅから玉出口５１２Ｃを介して玉補給シュート５１４に導入されたパチンコ玉Ｐを、玉補給シュート５１４に連結された遊技本体３００または遊技媒体貸出装置４００に補給する。
【００３２】
さらには、樋側面部材５１２の島構造体２００の端部側、すなわち下流側の端側には、端部から所定寸法の位置に、搬送板５１１Ｅの上面を転がるパチンコ玉Ｐの移動状態を検出する移動状態検出手段および搬入状態検出手段を構成する下流状態検出手段としての樋側検出センサＣ１が設けられている。
この樋側検出センサＣ１は、例えば一方の樋側面部材５１２から他方の樋側面部材５１２に向かって赤外線などの光を射出して、他方の樋側面部材５１２に設けられる受光部にて射出された光を受光する。そして、樋側検出センサＣ１は、制御装置に電気的に接続されており、受光部にて光を検出すると、所定の検出信号を制御装置に適宜出力する。なお、樋側検出センサＣ１としては、上記のような光センサ、赤外線センサに限らず、例えば光を射出する側の樋側面部材５１２に受光部を設け、パチンコ玉Ｐに反射された光を受光して制御装置に出力する構成であってもよく、その他のセンサを用いた構成であってもよい。
【００３３】
樋天板５１３は、補給樋本体５１１の長手方向と略同一方向に長手状に形成される板状部材である。この樋天板５１３の長手方向に沿う両側辺には、下方に突出する略Ｕ字状の天面取付部５１３Ａが形成されている。そして、樋天板５１３は、この天面取付部５１３Ａを樋側面部材５１２の天面係合部５１２Ｂに係合することで搬送板５１１Ｅを覆うように取り付けられている。
ここで、この補給樋本体５１１の搬送板５１１Ｅ、樋側面部材５１２、搬送板天面部５１３に囲われる領域が、パチンコ玉Ｐを転がして搬送する搬送領域となる。
【００３４】
玉搬送ユニット５２０は、上記したように、互いに隣り合う補給樋５１０の間にそれぞれ配設され、これらの補給樋５１０の端部を接続している。この玉搬送ユニット５２０は、図１および図２に示すように、島構造体２００の搬送収納部２７０に予め固定されたブラケット２８０に例えばボルト締めなどにより固定されている。
そして、玉搬送ユニット５２０は、揚送装置２５０側、すなわちパチンコ玉Ｐの移動方向における上流側に配置される補給樋５１０から導入されたパチンコ玉Ｐを、他方の島構造体２００の端部側、すなわちパチンコ玉Ｐの移動方向における下流側に配置される補給樋５１０に搬送する。
この玉搬送ユニット５２０は、下側ケース５３０と、上側ケース５４０と、搬送部を構成する搬送部材としての搬送ドラム部材５５０と、搬送部を構成する駆動手段としての駆動部５６０と、などを備えている。
【００３５】
下側ケース５３０は、例えばポリオキシメチレン（ＰＯＭ：polyoxymethylene、一般名：ジュラコン）などの合成樹脂などにより形成されている。この下側ケース５３０は、図３、図５ないし図７に示すように、上流側に配置される補給樋５１０と対向する第一側面５３０Ａ、下流側に配置される補給樋５１０と対向する第二側面５３０Ｂ、島構造体２００の遊技本体３００の正面と同方向となる前面５３０Ｃ、この前面５３０Ｃに対向する後面５３０Ｄ、およびこれらの第一側面５３０Ａ、第二側面５３０Ｂ、前面５３０Ｃ、後面５３０Ｄと隣接する図示しない底面を備えた略箱状に形成されている。また、この下側ケース５３０の上面側には、搬送ドラム部材５５０を出し入れ可能な開口窓５３１が開口形成されている。さらに、下側ケース５３０の底面には、図示しない取付部が設けられており、この取付部をブラケット２８０に例えばボルト締めなどすることにより下側ケース５３０が島構造体２００に固定されている。
【００３６】
下側ケース５３０の第一側面５３０Ａの下部側には、断面略矩形筒状の搬入口としての第一連結部５３２が揚送装置２５０側に突出して形成されている。また、この第一連結部５３２の基端部、すなわち下側ケース５３０の内方側には、第一連結部５３２の底面から立ち上がる壁状の第一ストッパ５３２Ａが形成されている。
第一ストッパ５３２Ａは、補給樋５１０の補給樋本体５１１の保持部５１１Ａの下端部から搬送板５１１Ｅまでの長さ寸法と略同一高さ寸法に形成されている。さらに、この第一ストッパ５３２Ａの上端部には、上流側に配置される補給樋５１０の搬送板５１１Ｅと略平行して突出するとともに、可撓性を有する図示しない舌片部が設けられている。
この第一連結部５３２には、上流側に配置される補給樋５１０の端部が第一ストッパ５３２Ａに当接されるように挿通される。この時、搬送板５１１Ｅの下面側に設けられる係合部５１１Ｆに舌片部が係合されることで、搬送板５１１Ｅの上面の高さ位置と第一ストッパ５３２Ａの上端部の高さ位置が略一致し、搬送板５１１Ｅと第一ストッパ５３２Ａとの間の隙間の発生を防止する。
【００３７】
また、下側ケース５３０の第二側面５３０Ｂの上部側には、上側が開口する断面略コ字状の搬出口としての第二連結部５３３が下流側に突出して形成されている。この第一連結部５３２の基端部、すなわち下側ケース５３０の内方側には、第二連結部５３３の底面から立ち上がる壁状の第二ストッパ５３３Ａが形成されている。そして、この第二連結部５３３には、下流側に配置される補給樋５１０の端部が第二ストッパ５３３Ａに当接されるように上方から載置されて設置される。
なお、第一連結部５３２と同様に、第二連結部５３３の第二ストッパ５３３Ａから、可撓性の舌片部が設けられる構成としてもよく、この場合、この舌片部を搬送板５１１Ｅの係合部５１１Ｆに係合することで、確実に補給樋５１０を接続することが可能となり、また搬送板５１１Ｅと第二ストッパ５３３Ａの高さ位置を確実に揃えることが可能となる。
【００３８】
そして、下側ケース５３０には、第一連結部５３２の第一ストッパ５３２Ａの上端縁から第二連結部５３３の第二ストッパ５３３Ａの上端縁までを連結する搬送部を構成する搬送経路部５３４が、前面５３０Ｃおよび後面５３０Ｄに挟まれる状態で配置されている。この搬送経路部５３４は、移動状態検出手段、搬入状態検出手段、および押圧状態検出手段を構成する可動板５３５と、可動板５３５の第二連結部５３３側に隣接して配置される曲面部５３４Ａと、曲面部５３４Ａの第二連結部５３３側に隣接して配置されるとともに、第二ストッパ５３３Ａの上端縁と連結される搬出面５３４Ｂと、を備えている。
【００３９】
可動板５３５は、第一ストッパ５３２Ａの上端縁と曲面部５３４Ａの第一連結部５３２側を連結する板状部材であり、例えばポリオキシメチレン（ＰＯＭ：polyoxymethylene、一般名：ジュラコン）などの合成樹脂などにより形成されている。この可動板５３５の曲面部５３４Ａ側の端部には、下方に突出する軸受け部５３５Ａが突出形成されている。
この軸受け部５３５Ａは、前面５３０Ｃから後面５３０Ｄに向かう方向と同軸となる円筒状に形成され、前面５３０Ｃおよび後面５３０Ｄから突出される回動軸としてのピン５３５Ｂが係合されている。また、このピン５３５Ｂは、第一ストッパ５３２Ａの上端縁よりも高さ位置が低い位置に設けられている。これにより、ピン５３５Ｂに軸受け部５３５Ａを係合することで、可動板５３５は、第一ストッパ５３２Ａの上端縁から曲面部５３４Ａに向かうに従って、例えば５分（２．８６度）の傾斜角度で僅かに下降傾斜して、軸受け部５３５Ａを中心として回動可能に取り付けられている。
また、可動板５３５の下方には、移動状態検出手段、搬入状態検出手段、および押圧状態検出手段を構成する付勢手段としての付勢ばね５３５Ｃが、例えば前面５３０Ｃおよび後面５３０Ｄの少なくとも一方に設けられている。この付勢ばね５３５Ｃの一端部は、前面５３０Ｃまたは後面５３０Ｄに固定され、他端部は、可動板５３５に当接している。そして、この付勢ばね５３５Ｃは、可動板５３５が軸受け部５３５Ａを軸として下方側に回動した際に、可動板５３５の第一連結部５３２側の先端部が第一ストッパ５３２Ａの上端縁の高さ位置となるように、可動板５３５を上方に付勢している。
さらに、可動板５３５の下方には、移動状態検出手段、搬入状態検出手段、および押圧状態検出手段を構成する可動板移動状態検出手段としての可動検出スイッチＣ２が設けられている。この可動検出スイッチＣ２は、例えば前面５３０Ｃの後面５３０Ｄと対向する面に固定され、上部に進退自在なボタンを有している。また、可動検出スイッチＣ２は、制御装置に電気的に接続されている。そして、この可動検出スイッチＣ２は、可動板５３５が下方側に所定距離回動すると、ボタンが可動板５３５の下面で押し込まれ、所定の検出信号を制御装置に出力する。
【００４０】
このような可動板５３５は、例えば玉搬送ユニット５２０内の搬送経路部５３４にパチンコ玉Ｐが所定数以上搬入された場合に、搬送ドラム部材５５０の回転により可動板５３５上のパチンコ玉Ｐが下方に押圧され、可動板５３５が回動される。
【００４１】
曲面部５３４Ａは、本発明の搬送経路面を構成し、前記したように、可動板５３５の第二連結部５３３側に隣接して設けられ、第二連結部５３３に連結される搬出面５３４Ｂの第一連結部５３２側に連結されている。この曲面部５３４Ａは、可動板５３５の第二連結部５３３側の端部から、搬出面５３４Ｂの第一連結部５３２側の端部に亘って、後述する搬送ドラム部材５５０の曲率を略同一曲率にて、すなわち搬送ドラム部材５５０の回転軸を中心とする所定半径の曲面にて上方に向かって湾曲形成されている。また、曲面部５３４Ａの第一連結部側端部から第二連結部側端部を結ぶ円弧に対する中心角は略直角に設定されている。なお、本実施の形態では、曲面部５３４Ａの中心角が略直角である例を示すが、これに限定されず、例えば中心角が９０度以下である構成であればよい。
【００４２】
搬出面５３４Ｂは、曲面部５３４Ａおよび第二ストッパ５３３Ａと一体形成されている。また、この搬出面５３４Ｂは、第二連結部５３３の第二ストッパ５３３Ａの上端縁から、例えば５分（２．８６度）で僅かに上方傾斜して、第一連結部５３２側に延びて形成されている。
そして、この搬出面５３４Ｂの前面５３０Ｃ側には、移動状態検出手段を構成する搬出状態検出手段としての搬出センサＣ３が設けられている。この搬出センサＣ３は、例えば前面５３０Ｃの外方に固定されている。すなわち、前面５３０Ｃの搬出面５３４Ｂの近傍には、下側ケース５３０の内外と貫通するセンサ孔５３０Ｃ１が形成されており、このセンサ孔５３０Ｃ１に臨んで搬出センサＣ３が設けられている。この搬出センサＣ３としては、光センサ、赤外線センサなどが例示される。すなわち、センサ孔５３０Ｃ１から内部に向かって検出用のセンサ光を射出して、後面５３０Ｄ側に設けられる図示しない受光部にて射出されたセンサ光を受光する。そして、搬出センサＣ３では、受光部にて受光したセンサ光の受光時間間隔を制御装置に出力する。なお、搬出センサＣ３としては、これに限らず、例えば受光部は、パチンコ玉Ｐに反射されたセンサ光を検出する構成としてもよく、またその他のセンサを利用するものであってもよい。
【００４３】
そして、下側ケース５３０の前面５３０Ｃおよび後面５３０Ｄの上端縁には、第一側面５３０Ａおよび第二側面５３０Ｂと隣接する位置にそれぞれ外方に突出する取付片５３６が設けられている。この取付片５３６には、上側ケース５４０を取り付ける際にボルトが貫通される孔部が形成されている。
また、前面５３０Ｃおよび後面５３０Ｄの上端縁には、開口窓５３１と連通するＵ字溝５３７が形成されている。このＵ字溝５３７は、前面５３０Ｃおよび後面５３０Ｄの上端縁の略中心位置から底面に向かって長手状に形成されている。そして、このＵ字溝５３７には、後述する搬送ドラム部材５５０が挿通される。
【００４４】
さらに、下側ケース５３０の前面５３０Ｃの曲面部５３４Ａおよび搬出面５３４Ｂの対応する位置の下方には、モータ取付孔５３８が開口形成されている。このモータ取付孔５３８には、駆動部５６０のモータ５６１が嵌入されて固定される。さらに、前面５３０Ｃには、駆動部５６０の伝達ギア５６２が回転可能に軸支されている。
【００４５】
なお、本実施の形態では、下側ケース５３０の第一側面５３０Ａ、第二側面５３０Ｂ、前面５３０Ｃ、後面５３０Ｄ、第一連結部５３２、第二連結部５３３、曲面部５３４Ａ、および搬出面５３４Ｂが一体形成されている構成を例示するが、これに限られない。例えば第一側面５３０Ａ、第二側面５３０Ｂ、第一連結部５３２、第二連結部５３３、曲面部５３４Ａ、および搬出面５３４Ｂが例えばポリオキシメチレン（ＰＯＭ：polyoxymethylene、一般名：ジュラコン）などの合成樹脂などにより一体形成され、前面５３０Ｃおよび後面５３０Ｄが例えば金属部材などにより形成されて、第一側面５３０Ａ、第二側面５３０Ｂ、第一連結部５３２、第二連結部５３３、曲面部５３４Ａ、および搬出面５３４Ｂの前面５３０Ｃ側および後面５３０Ｄ側に固定されている構成などとしてもよい。
【００４６】
上側ケース５４０は、例えば金属部材などにより形成されている。この上側ケース５４０は、下側ケース５３０に着脱自在に取り付けられるとともに、後述の搬送ドラム部材５５０を回転可能に保持している。そして、上側ケース５４０は、図３、図５ないし図７に示すように、天面５４１と、前保持面５４２と、後保持面５４３と、を備えている。
【００４７】
天面５４１は、搬送ドラム部材５５０の一部が挿通可能なドラム挿通口５４１Ａが開口形成されている。また、天面５４１の四隅、すなわち下側ケース５３０の取付片５３６に対応する位置には、それぞれ前面５３０Ｃ側および後面５３０Ｄ側に突出する着脱片５４１Ｂが設けられている。この着脱片５４１Ｂは、それぞれ、ボルトを挿通する孔部が形成されている。そして、着脱片５４１Ｂを下側ケース５３０の取付片５３６に当接させてボルト締めすることで、上側ケース５４０が下側ケース５３０に対して着脱可能に取り付けられている。
【００４８】
前保持面５４２および後保持面５４３は、天面５４１に隣接して連続形成されている。これらの前保持面５４２および後保持面５４３は、上側ケース５４０が下側ケース５３０に固定された状態において、それぞれ下側ケース５３０の前面５３０Ｃおよび後面５３０Ｄを覆う状態に配置される。また、これらの前保持面５４２および後保持面５４３は、略中心位置にドラム取付片５４４が下方側に突出して形成されている。このドラム取付片５４４の下端縁には、天面５４１側に向かって長手状に形成される軸挿入溝５４５が形成されている。そして、このドラム取付片５４４には、ドラム取付片５４４の軸挿入溝５４５に搬送ドラム部材５５０の軸部５５１が挿通された状態で、この軸部５５１を回転可能に保持するドラム保持部材５５１Ａを例えばねじ止めなどにより固定することで、搬送ドラム部材５５０が着脱自在に取り付けられる。
【００４９】
搬送ドラム部材５５０は、軸部５５１と、芯部５５２と、フィン設置筒部５５３と、搬送羽根部５５３Ｃを有する複数のフィン５５４と、を備えている。
【００５０】
軸部５５１は、搬送ドラム部材５５０の略中心軸上に配置される。
この軸部５５１の前面５３０Ｃ側の一端側の所定位置には、駆動部５６０の伝達ギア５６２に噛合可能なドラムギア５５１Ｂが固定されている。これには、例えば軸部５５１の一部を切欠き、ドラムギア５５１Ｂの軸部５５１を挿通する孔部をこの切欠に対応した形状に形成することでドラムギア５５１Ｂを軸部５５１に固定している。
また、軸部５５１のドラムギア５５１Ｂの固定位置のさらに端部側には、押え部材５５１Ｃが挿通されて固定されている。この押え部材５５１Ｃは、ドラムギア５５１Ｂに係合され、ドラムギア５５１Ｂの抜け落ちを防止している。なお、軸部５５１の径方向にピン部材などを挿通し、このピン部材とドラムギア５５１Ｂに係止させることでドラムギア５５１Ｂを軸部５５１に固定する構成などとしてもよい。
さらに、軸部５５１の前面５３０Ｃ側端部には、操作つまみ５５１Ｄが固定されている。具体的には、軸部５５１の前面５３０Ｃ側の端部には、図示しない雄ねじ部が設けられ、この雄ねじ部に操作つまみ５５１Ｄが螺合されて固定されている。これにより、操作つまみ５５１Ｄを手動により回転駆動させることで、搬送ドラム部材５５０を強制的に回転させることが可能となる。したがって、例えば玉搬送ユニット５２０の内部にパチンコ玉Ｐが詰まった場合に、この操作つまみ５５１Ｄを回転させることで、搬送ドラム部材５５０を回転駆動させ、詰まりを解消させることが可能となる。
【００５１】
さらに、ドラムギア５５１Ｂの固定位置の内方側、すなわち他端部側には、前記したような、ドラム保持部材５５１Ａが回転可能に設けられている。さらには、軸部５５１の後面５３０Ｄ側の他端部側の所定位置にも、同様に、ドラム保持部材５５１Ａが回転可能に設けられている。そして、前記したように、これらのドラム保持部材５５１Ａを上側ケース５４０のドラム取付片５４４に例えばねじ止めなどすることで、搬送ドラム部材５５０を上側ケース５４０に回転可能、かつ着脱可能に固定している。
【００５２】
さらに、軸部５５１の他端部には、図６に示すような、移動状態検出手段を構成する駆動状態検出手段としてのドラムトルクセンサＣ４が設けられている。このドラムトルクセンサＣ４は、軸部５５１の他端部に設けられる半月片Ｃ４１と、半月片に向かって例えば赤外線などを照射して半月片にて反射された赤外線を検出する図示しない赤外線センサとなどを備えている。そして、このドラムトルクセンサＣ４の赤外線センサは、制御装置に電気的に接続され、半月片Ｃ４１の検知間隔を検知信号として制御装置に入力している。これにより、制御装置では、赤外線センサの半月片Ｃ４１の検知間隔により搬送ドラム部材５５０の回転速度を演算することが可能となる。
【００５３】
芯部５５２は、例えばジュラコンなどの合成樹脂により形成されている。この芯部５５２は、図８ないし図１０に示すように、軸部５５１が嵌入される内筒部５５２Ａと、フィン設置筒部５５３に挿通される外筒部５５２Ｂと、これらの内筒部５５２Ａおよび外筒部５５２Ｂを連結する複数の放射連結部５５２Ｃと、を備えている。これらの内筒部５５２Ａ、外筒部５５２Ｂ、および放射連結部５５２Ｃは、例えば合成樹脂などにより一体的に形成されている。
【００５４】
内筒部５５２Ａは、内周面の径寸法が軸部５５１の外周面の径寸法と略同一径寸法に形成されており、内周部に軸部５５１を嵌入している。これにより、軸部５５１が回転駆動することで、内筒部５５２Ａも回転し、搬送ドラム部材５５０が回転駆動する。なお、内筒部５５２Ａに軸部５５１を嵌入する構成としたが、これに限定されず、例えば軸部５５１を内筒部５５２Ａに挿通した状態で、内筒部５５２Ａの外周面から軸部５５１の中心軸に向かってピン部材を挿通することで、軸部５５１が内筒部５５２Ａに対して回転しないように固定する構成としてもよい。また、内筒部５５２Ａの外周面には、径方向に向かって複数の放射連結部５５２Ｃが形成されており、上記したようにこの放射連結部５５２Ｃにより内筒部５５２Ａと外筒部５５２Ｂが連結されている。
【００５５】
外筒部５５２Ｂは、上記のように放射連結部５５２Ｃにより内筒部５５２Ａと連結固定されており、内筒部５５２Ａが軸部５５１の回転により回転駆動すると、外筒部５５２Ｂも回転駆動する。そして、外筒部５５２Ｂの外周面には、図９に示すように、所定間隔おきに、例えば９０度間隔で、外径方向に突出する位置決めピン５５２Ｂ１が形成されている。これらの位置決めピン５５２Ｂ１は、外筒部５５２Ｂの軸方向における前面５３０Ｃ側の端部に形成されている。また、外筒部５５２Ｂの外周面には、所定間隔おきに外径方向に突出して、芯部５５２の軸心方向と平行して長手状に形成される回転止部５５２Ｂ２が形成される。これらの回転止部５５２Ｂ２は、例えば隣り合う位置決めピン５５２Ｂ１の間に等間隔で２つずつ配設されている。
【００５６】
フィン設置筒部５５３は、図１０に示すように、例えば合成樹脂などにより略円筒状に形成されている。このフィン設置筒部５５３の内周径寸法は、芯部５５２の外筒部５５２Ｂの外径寸法と略同一径寸法、もしくは僅かに大きく形成されている。また、フィン設置筒部５５３の軸心方向の長さ寸法は、下側ケース５３０の前面５３０Ｃおよび後面５３０Ｄの間隔寸法と略同一寸法に形成されている。
そして、このフィン設置筒部５５３は、芯部５５２の外筒部５５２Ｂに形成される位置決めピン５５２Ｂ１、回転止部５５２Ｂ２に対向する位置にそれぞれピン挿通孔５５３Ａおよび回転止挿通溝５５３Ｂが形成されている。また、ピン挿通孔５５３Ａは、フィン設置筒部５５３の前面５３０Ｃ側の端側に形成され、このピン挿通孔５５３Ａからフィン設置筒部５５３の端部に向かって摺動溝が形成されている。これにより、フィン設置筒部５５３に芯部５５２を挿通する際に、位置決めピン５５２Ｂ１を摺動溝に沿って摺動させてピン挿通孔５５３Ａまで移動させることができ、組み立て性が良好になる。
【００５７】
また、フィン設置筒部５５３には、外周面と内周面を貫通するとともに、軸方向に沿って長手となるフィン設置孔５５３Ｃが所定間隔を開けて複数形成されている。このフィン設置孔５５３Ｃは、図８、図１０に示すように、等間隔、例えば３０度間隔で、隣り合うピン挿通孔５５３Ａおよび回転止挿通溝５５３Ｂの間、隣り合う回転止挿通溝５５３Ｂ同士の間に、それぞれ設けられている。このフィン設置孔５５３Ｃには、それぞれフィン５５４が内周側から外周側に突出するように挿通されている。なお、本実施の形態では、フィン設置孔５５３Ｃが３０度間隔で形成される例を示すが、これに限定されず、例えばフィン５５４にて搬送経路部５３４の曲面部５３４Ａに搬送されたパチンコ玉を掻き揚げて搬送可能であれば、その間隔は特に限定されない。
【００５８】
フィン５５４は、例えばウレタンゴムなどの可撓性を有する合成樹脂により形成される略板状部材であり、搬送ドラム部材５５０の軸心方向に沿って長手状に形成されている。このフィン５５４は、図８に示すように、固定端部５５４Ａと、挿通部５５４Ｂと、搬送羽根部５５４Ｃと、を備えている。これらの固定端部５５４Ａ、挿通部５５４Ｂ、および搬送羽根部５５４Ｃが一体的に形成されている。
固定端部５５４Ａは、フィン５５４の端部に設けられ、挿通部５５４Ｂに対して略Ｔ字状に形成されている。この固定端部５５４Ａは、芯部５５２およびフィン設置筒部５５３に挟持されて固定される部分である。この芯部５５２およびフィン設置筒部５５３の接線方向の長さ寸法が、フィン設置筒部５５３のフィン設置孔５５３Ｃの溝幅よりも大きい幅寸法に形成されている。これにより、固定端部５５４Ａはフィン５５４が搬送ドラム部材５５０から抜け落ちることを防止している。
【００５９】
挿通部５５４Ｂは、固定端部５５４Ａのフィン設置筒部５５３の接線方向の略中心位置から略垂直に立ち上がって形成されている。この挿通部５５４Ｂは、フィン設置筒部５５３のフィン設置孔５５３Ｃに挿通される。
【００６０】
搬送羽根部５５４Ｃは、挿通部５５４Ｂに連続形成されるとともに、この挿通部５５４Ｂと所定の角度で傾斜して形成されている。ここで、この搬送羽根部５５４Ｃは、搬送ドラム部材５５０の外径側に向かうに従って、搬送ドラム部材５５０の回転方向と逆方向に傾斜するような所定傾斜角度に形成されている。
また、搬送羽根部５５４Ｃの搬送ドラム部材５５０の径方向に対する長さ寸法は、搬送羽根部５５４Ｃの先端部と下側ケース５３０の曲面部５３４Ａとの隙間寸法が少なくとも搬送されるパチンコ玉Ｐの径寸法よりも小さいサイズに形成されている。
【００６１】
駆動部５６０は、モータ５６１と、伝達ギア５６２と、などを備えている。モータ５６１は、前記したように、下側ケース５３０の前面５３０Ｃに設けられたモータ取付孔５３８に嵌挿され、例えばねじ止めなどにより固定されている。このモータ５６１は、制御装置に電気的に接続され、制御装置から所定の電力が供給されることで、前面５３０Ｃ側に突設されるモータ軸を回転駆動させる。またモータ５６１のモータ軸の先端部には、モータギア５６１Ａが固定されており、モータ５６１の回転駆動力を伝達ギア５６２に伝達する。
【００６２】
伝達ギア５６２は、前記したように、前面５３０Ｃに回転可能に取り付けられ、モータ５６１のモータギア５６１Ａと噛合している。また、伝達ギア５６２は、上側ケース５４０を下側ケース５３０に固定した状態で、搬送ドラム部材５５０の軸部５５１に固定されたドラムギア５５１Ｂに噛合する。そして、モータ５６１から伝達された回転駆動力をドラムギア５５１Ｂに伝達し、搬送ドラム部材５５０を回転駆動させる。
【００６３】
制御装置は、玉搬送装置５００全体の動作を制御する。
具体的には、制御装置は、前記したように、揚送装置２５０、樋側検出センサＣ１、可動検出スイッチＣ２、搬出センサＣ３、ドラムトルクセンサＣ４、およびモータ５６１などに電気的に接続され、これらに所定の電力を供給する。
また、制御装置は、樋側検出センサＣ１、可動検出スイッチＣ２、搬出センサＣ３、およびドラムトルクセンサＣ４から入力される各種検出信号を認識し、揚送装置２５０、および各玉搬送ユニット５２０のモータ５６１の駆動を制御する。
【００６４】
具体的には、制御装置は、樋側検出センサＣ１から入力される検出信号に基づいて、搬送板５１１Ｅ上を移動するパチンコ玉Ｐの詰まり状態を判断する。すなわち、制御装置は、樋側検出センサＣ１から検出信号が入力されない時間を認識する。そして、この検出信号が入力されない時間が予め設定された所定時間以上となった場合、補給樋５１０が詰まり状態であると判断し、例えばこの補給樋５１０の上流側に配置される玉搬送ユニット５２０のモータ５６１を一時停止させ、所定時間後に再び駆動させる制御をする。
【００６５】
また、制御装置は、可動検出スイッチＣ２から検出信号を認識すると、玉搬送装置５００の玉搬送ユニット５２０のモータ５６１および揚送装置２５０の揚送動作を停止させる。
【００６６】
さらに、玉搬送ユニット５２０は、搬出センサＣ３から入力される検出信号に基づいて、搬出センサＣ３から検出信号が入力されない時間を認識する。そして、この検出信号が入力されない時間が所定時間以上となった場合、搬出面５３４Ｂ上のパチンコ玉Ｐが移動していない、すなわち玉搬送ユニット５２０の下流側の補給樋５１０が詰まっていると判断して、この搬出センサＣ３が設けられた玉搬送ユニット５２０のモータ５６１を停止させる制御をする。また、モータ５６１が停止した状態で、搬出センサＣ３から検出信号が入力されると、再びモータ５６１を駆動させる制御をする。
【００６７】
さらには、制御装置は、ドラムトルクセンサＣ４から入力される検出信号に基づいて、搬送ドラム部材５５０の回転速度を認識する。そして、制御装置は、搬送ドラム部材５５０の回転速度が予め設定された所定回転速度よりも小さい場合、玉搬送装置５００の玉搬送ユニット５２０のモータ５６１および揚送装置２５０の揚送動作を緊急停止させる制御をする。
【００６８】
〔遊技システムの動作〕
次に、上記設置した遊技システム１００における玉搬送装置５００の動作について説明する。
【００６９】
島構造体２００に配置される遊技本体３００に設けられる回収ホッパ２４２に投入されたパチンコ玉Ｐ、および島構造体２００の例えば端部などに設けられる図示しない計数手段から投入されたパチンコ玉Ｐは、島回収手段２４０の回収樋２４１に貯留される。
【００７０】
そして、制御装置は、揚送装置２５０の揚送手段を制御して、回収樋２４１に貯留されたパチンコ玉Ｐを玉収集口２５１から玉排出口２５２まで搬送する。
【００７１】
玉排出口２５２から排出されたパチンコ玉Ｐは、玉搬送装置５００に導入される。すなわち、パチンコ玉Ｐは、玉排出口２５２に連結される補給樋５１０の搬送板５１１Ｅ上に排出され、この搬送板５１１Ｅ上を流通して下流側に搬送される。
【００７２】
この時、補給樋５１０の搬送板５１１Ｅは、略中央部が上側となる略円弧状に形成されているため、パチンコ玉Ｐは、樋側面部材５１２に沿って搬送板５１１Ｅ上を移動する。そして、樋側面部材５１２に設けられた玉出口５１２Ｃから玉補給シュート５１４を通って各遊技本体３００および各遊技媒体貸出装置４００にパチンコ玉Ｐが搬送され供給される。
なお、この玉補給シュート５１４にパチンコ玉Ｐが十分に供給されている場合、玉出口５１２Ｃに供給されたパチンコ玉Ｐのうち、最終尾近傍の一部のパチンコ玉Ｐの１／４程度が玉出口５１２Ｃから搬送板５１１Ｅ上に突出する。これにより、搬送板５１１Ｅの上流側から搬送されて来たパチンコ玉Ｐは、これらの最終尾近傍の一部のパチンコ玉Ｐに当接して搬送板５１１Ｅの中央部側に跳ね返り、下流側に搬送される。
【００７３】
また、制御装置は、補給樋５１０の下流側に設けられる樋側検出センサＣ１から入力される検出信号により、搬送板５１１Ｅ上を搬送されるパチンコ玉Ｐの単位時間当たりの搬送移動個数を認識する。そして、制御装置は、この搬送移動個数が予め設定された所定数よりも小さい場合、補給樋５１０が上流側から搬送されてきたパチンコ玉Ｐで詰まっていると判断し、この補給樋５１０の上流側、すなわち上流側に配置される玉搬送ユニット５２０のモータ５６１、または揚送装置２５０の揚送手段を一時停止させる制御をし、所定時間経過後に再びこれらのモータ５６１および揚送装置２５０の揚送手段を駆動させる制御をする。
【００７４】
この後、補給樋５１０により搬送されたパチンコ玉Ｐは、玉搬送ユニット５２０の第一連結部５３２に搬入される。
【００７５】
また、制御装置は、玉搬送ユニット５２０のモータ５６１を制御して、搬送ドラム部材５５０を回転駆動させる。これにより、搬送ドラム部材５５０のフィン５５４は、第一連結部５３２に搬送されたパチンコ玉Ｐを曲面部５３４Ａに沿って搬出面５３４Ｂ側に揚送する。この時、フィン５５４は、搬送ドラム部材５５０の回転方向と逆方向に傾斜する形状に形成されているため、例えばフィン５５４でパチンコ玉Ｐをすくい上げて搬出面５３４Ｂに排出されないなどの不都合を防止することが可能となる。
【００７６】
そして、制御装置は、搬出面５３４Ｂの側方に設けられる搬出センサＣ３から入力される検出信号を認識し、搬出面５３４Ｂにおけるパチンコ玉Ｐの移動状態を認識する。そして、制御装置は、搬出面５３４Ｂ上のパチンコ玉Ｐが詰まり状態であると判断すると、モータ５６１を停止させる制御をする。そして、制御装置は、搬出センサＣ３から入力される検出信号に基づいて、搬出面５３４Ｂのパチンコ玉Ｐの詰まり状態が解消されたことを認識すると、再びモータ５６１を駆動させて搬送ドラム部材５５０によるパチンコ玉Ｐの揚送動作を再開させる制御をする。
【００７７】
また、上流側から搬送されたパチンコ玉Ｐが玉搬送ユニット５２０内に所定数以上搬入されると、可動板５３５上にこれらのパチンコ玉Ｐが多段に積層されてしまう状態となる。この状態で搬送ドラム部材５５０が回転駆動されると、可動板５３５が下方側に押し込まれ、可動検出スイッチＣ２が押される。このような場合、制御装置は、可動検出スイッチＣ２から入力される検出信号を認識し、可動検出スイッチＣ２が押された玉搬送ユニット５２０のモータ５６１を緊急停止させる。
【００７８】
さらに、制御装置は、ドラムトルクセンサＣ４から入力される検出信号に基づいて、搬送ドラム部材５５０の回転速度を算出する。そして、制御装置は、モータ５６１が駆動している状態で算出した回転速度が予め設定された所定速度以下である場合、この玉搬送ユニット５２０およびこの玉搬送ユニット５２０の上流側に配置される全玉搬送ユニット５２０のモータ５６１、および揚送装置の揚送手段を緊急停止させる。
【００７９】
また、上記のようにモータ５６１の停止により、補給樋５１０にパチンコ玉Ｐが溜まりだすと、上流側の玉搬送ユニット５２０の搬出センサＣ３や樋側検出センサＣ１にてパチンコ玉Ｐの詰まりを検出して、上流側の玉搬送ユニット５２０のモータ５６１も停止される。ここで、制御装置は、揚送装置２５０の下流側に位置する玉搬送ユニット５２０のモータ５６１が停止されると、揚送装置２５０の揚送手段の駆動も停止させる制御をする。
【００８０】
一方、搬出面５３４Ｂに搬出されたパチンコ玉Ｐは、第二連結部５３３に連結された補給樋５１０に搬出される。そして、この第二連結部５３３に連結された補給樋５１０は、上記した補給樋５１０と同様に、パチンコ玉Ｐを下流側に搬送し、下流側に配置される玉搬送ユニット５２０に導入する。以下、同様に、島構造体２００の端部に至るまで、補給樋５１０および玉搬送ユニット５２０によりパチンコ玉Ｐを搬送し、補給樋５１０の側方に設けられる玉出口５１２Ｃから各遊技本体３００および各遊技媒体貸出装置４００にパチンコ玉Ｐを供給する。
【００８１】
〔実施の形態の作用効果〕
上述したように、上記のような遊技システムの玉搬送装置５００は、玉搬送ユニット５２０にて、第一連結部５３２に搬入されたパチンコ玉Ｐを上方へ搬送して、第二連結部５３３から補給樋５１０にパチンコ玉Ｐを搬出する。そして、制御装置は、パチンコ玉Ｐが詰まり状態であると判断すると、玉搬送ユニット５２０によるパチンコ玉Ｐの搬送を停止させる制御をする。
このため、補給樋５１０で遊技媒体がつまった場合に、玉搬送ユニット５２０によるパチンコ玉Ｐの補給樋５１０への搬送を停止させることができる。したがって、この詰まった部分に余計なパチンコ玉Ｐが搬送され続けることを防止でき、パチンコ玉Ｐを適切に搬送できる。
【００８２】
そして、玉搬送装置５００は、玉搬送ユニット５２０にて、上流側に配置される補給樋５１０から第一連結部５３２に搬入されたパチンコ玉Ｐを上方へ搬送して、第二連結部５３３から下流側に配置される補給樋５１０にパチンコ玉Ｐを搬出する。
このため、上流側の補給樋５１０の下流側端部まで移動したパチンコ玉を上方へ搬送して、下流側の補給樋５１０の上流側端部へ搬送することにより、パチンコ玉Ｐを遊技本体３００の並び方向に略沿って搬送することができる。したがって、島構造体２００の長さ寸法が長くなったとしても、上流側の補給樋５１０の上流側端部の位置と、下流側の補給樋５１０の下流側端部の位置と、の鉛直方向の寸法差を最小限に抑えた状態で、パチンコ玉Ｐを案内できる。よって、島構造体２００の高さをも低くすることができる。さらに、島構造体２００の設置作業を容易に実施できる。また、島構造体２００の高さ寸法が低くなるため、空調の効率も良好にできる。さらに、天井に防犯カメラなどを設置した場合、島構造体２００の高さ寸法が低くなることで防犯カメラの視界が良好となり、遊技本体３００の不正使用などを防止でき、防犯面でも強化することができる。
【００８３】
また、制御装置は、搬出センサＣ３から入力される検出信号に基づいて、搬出面５３４Ｂおよび第二連結部５３３近傍のパチンコ玉Ｐの搬送状態を認識する。そして、制御装置は、これらの搬出面５３４Ｂおよび第二連結部５３３近傍のパチンコ玉Ｐの搬送状態が詰まり状態であると認識すると、この搬出センサＣ３が設けられた玉搬送ユニット５２０の駆動を停止させている。
このため、例えばこの玉搬送ユニット５２０の下流側に玉搬送ユニット５２０にトラブルが発生して補給樋５１０にパチンコ玉Ｐが詰まってきたとしても、制御装置は、搬出センサＣ３からの検出信号により第二連結部５３３および搬出面５３４Ｂ近傍のパチンコ玉Ｐの詰まり状態を認識し、モータ５６１を停止させるので、この補給樋５１０へ補給される余計なパチンコ玉Ｐの数を最小限に抑えることができる。
【００８４】
さらに、制御装置は、第一連結部５３２近傍のパチンコ玉Ｐの搬送状態を認識し、この第一連結部５３２近傍のパチンコ玉Ｐの搬送状態が詰まり状態であると認識すると、この第一連結部５３２を有する玉搬送ユニット５２０の駆動を停止させている。
このため、第一連結部５３２近傍においてパチンコ玉Ｐが詰まった場合に、この詰まったパチンコ玉Ｐを搬送させる状態に玉搬送ユニット５２０を駆動させることがなく、玉搬送ユニット５２０の処理負荷の増加や破損を防止できる。
【００８５】
そして、制御装置は、樋側検出センサＣ１から入力される検出信号に基づいて、上流側の補給樋５１０の下流側におけるパチンコ玉Ｐの搬送状態を認識し、搬送状態が詰まり状態であると認識すると、この樋側検出センサＣ１の下流に位置する玉搬送ユニット５２０の駆動を停止させている。
このため、上流側の補給樋５１０の下流側に多量のパチンコ玉Ｐが存在する場合に、玉搬送ユニット５２０の駆動を停止でき、多量のパチンコ玉Ｐを一度に搬送することによる玉搬送ユニット５２０の処理負荷の急激な増加や破損を未然に防止できる。
【００８６】
また、制御装置は、第一連結部５３２近傍においてパチンコ玉Ｐが詰まりフィン５５４によりパチンコ玉Ｐが略下方に押圧されたことを可動検出スイッチＣ２にて検出し、この第一連結部５３２近傍でパチンコ玉Ｐが詰まり状態であることを認識した場合、モータ５６１を停止させている。
このため、第一連結部５３２にパチンコ玉Ｐが過剰に搬入されて詰まった場合、フィン５５４によるパチンコ玉Ｐの略下方への押圧状態を検出するだけで、容易に第一連結部５３２近傍での詰まり状態を認識することができる。
【００８７】
さらに、この第一連結部５３２近傍には、フィン５５４により押圧された方向に回動可能な可動板５３５が設けられている。そして、さらに、可動検出スイッチＣ２は、この可動板５３５が下方に回動されたか否かを検出している。
すなわち、可動板５３５は、第一連結部５３２から所定数以上のパチンコ玉Ｐが搬入されて、例えば可動板５３５上に多段に重なりあった状態で搬送ドラム部材５５０が回転すると、フィン５５４にてこの多段に重なり合ったパチンコ玉Ｐが押されて下方に回動する。または、可動板５３５は、多段に重なり合ったパチンコ玉Ｐの重量により下方に回動する。そして、制御装置は、可動板５３５の回動を可動検出スイッチＣ２により検出して、可動板５３５が回動すると、モータ５６１を停止させている。
このため、第一連結部５３２への多量のパチンコ玉Ｐの搬入により、搬送ドラム部材５５０のフィン５５４が多量にパチンコ玉Ｐを掻きこんで、例えばフィン５５４と曲面部５３４Ａとの間にパチンコ玉Ｐが詰まったり、フィン５５４間にパチンコ玉Ｐが詰まったりする不都合を防止することができ、玉搬送ユニット５２０を正常に動作させることができる。また、可動板５３５の回動量を検出するだけでフィン５５４によるパチンコ玉Ｐの押圧状態を検出でき、構成の簡略化を容易に図ることができる。
【００８８】
そして、可動板５３５を、曲面部５３４Ａ側の端部に設けられたピン５３５Ｂを中心に回動可能に設けている。
このため、可動板５３５が所定量未満だけ回動した際に可動板５３５と曲面部５３４Ａとの間にできる段差を最小限に抑えることができ、パチンコ玉Ｐの搬送を継続できる。したがって、玉搬送装置５００は、さらに適切にパチンコ玉Ｐを搬送できる。
【００８９】
また、可動板５３５を上方に付勢する付勢ばね５３５Ｃを設けている。
このため、例えば可動板５３５を所定量未満だけ押圧方向に回動させたパチンコ玉Ｐが搬送された後に、可動板５３５を元の位置に戻す作業を実施することなく、新たなパチンコ玉Ｐの搬送を継続でき、玉搬送装置５００の管理を容易にできる。
【００９０】
さらに、制御手段は、駆動部５６０のモータ５６１に所定の駆動電力を供給しているにも関わらず、ドラムトルクセンサＣ４により検出される搬送ドラム部材５５０の回転速度が所定速度以下である場合、モータ５６１の駆動を停止させている。
このため、搬送ドラム部材５５０のフィン５５４と曲面部５３４Ａとの間にパチンコ玉Ｐが詰まっていたり、その他の部位にパチンコ玉Ｐが詰まっていたりして搬送ドラム部材５５０の回転駆動力が低下した場合に、この搬送ドラム部材５５０の異常を検出して停止させることができる。
【００９１】
そして、玉搬送装置５００の補給樋５１０に、玉補給シュート５１４を設けている。
このため、パチンコ玉Ｐを搬送しながら遊技本体３００へ供給でき、玉搬送装置５００の利便性を向上できる。
【００９２】
〔実施の形態の変形〕
以上、本発明について好適な実施の形態を挙げて説明したが、本発明は、これらの実施の形態に限定されるものではなく、本発明の要旨を逸脱しない範囲において種々の改良並びに設計の変更が可能である。
【００９３】
例えば、本発明の移動状態検出手段にて、揚送装置２５０から島構造体２００の端部にかけて一連に設けられた複数の補給樋５１０におけるパチンコ玉Ｐの搬送状態を検出する構成について例示したが、揚送装置２５０から島構造体２００の端部にかけて１個だけ設けられた補給樋のみを有する構成におけるパチンコ玉Ｐの搬送状態を検出する構成に適用してもよい。
【００９４】
また、搬入状態検出手段として、可動検出スイッチＣ２にて可動板５３５の回動状態を検出する構成としたが、例えば赤外線などの光を射出して第一連結部５３２近傍のパチンコ玉Ｐの詰まり状態を検出する光センサを用いてもよい。
【００９５】
さらに、樋側検出センサＣ１および搬出センサＣ３として光センサを利用する例を示したが、例えば搬送板５１１Ｅ上に薄状圧電センサを設け、この圧電センサ上を通過するパチンコ玉Ｐによる圧力変化を検出してパチンコ玉Ｐの流通量を認識する構成などとしてもよい。そして、可動板５３５および可動検出スイッチＣ２の代わりに、本発明の押圧状態検出手段として、薄状圧電センサを設ける構成としてもよい。
【００９６】
また、ドラムトルクセンサＣ４の半月片Ｃ４１を軸部５５１に取り付ける構成としたが、例えば伝達ギア５６２やモータ５６１の軸などに取り付ける構成としてもよい。
【００９７】
そして、樋側検出センサＣ１、可動検出スイッチＣ２、搬出センサＣ３、およびドラムトルクセンサＣ４のうち、少なくとも１個のみを設ける構成としてもよい。
このような構成にすれば、制御装置の構成を簡略にできる。
【００９８】
また、可動板５３５を、ピン５３５Ｂを中心に回動可能に設けたが、上下方向に往復移動可能に設ける構成としてもよい。
さらに、可動板５３５を、曲面部５３４Ａ側の端部を中心に回動可能に設けたが、第一連結部５３２側の端部を中心に回動可能に設ける構成としてもよい。
そして、付勢ばね５３５Ｃを設けない構成としてもよい。
【００９９】
さらに、制御装置は、可動検出スイッチＣ２からの検出信号を検出すると、この可動検出スイッチＣ２が設けられる玉搬送ユニット５２０の上流側に配置された玉搬送ユニット５２０のモータ５６１または揚送装置２５０の揚送手段の駆動を停止させる制御をしてもよい。この場合、第一連結部５３２に搬入されるパチンコ玉Ｐの搬入量を減らすことができ、第一連結部５３２近傍のパチンコ玉Ｐの詰まりを解消することが可能となる。
【０１００】
また、搬送部材として、略円柱状の搬送ドラム部材５５０の周面からフィン５５４が突設され、曲面部５３４Ａの円弧曲面に沿ってフィン５５４を上方に移動させる構成としたが、これに限らない。
例えば、搬送部材として、複数の回転軸に環状のベルトを巻装させ、このベルトに複数のフィンを設ける構成としてもよい。このような構成では、搬送経路部５３４として上方に向かって傾斜する板状部材を用いることもできる。すなわち、この搬送経路部５３４の下端位置および上端位置に対向して、それぞれ搬送部材の回転軸を配置し、これらの回転軸に亘って周面にフィンが設けられたベルトを巻装させる。
そして、駆動手段により、搬送経路部５３４に対向するベルトが上方に向かって移動するように回転軸を移動させることで、ベルトに設けられたフィンも搬送経路部に沿って上方に移動する。このような構成でも、フィンにより容易にパチンコ玉を搬送経路部５３４に沿って上方に搬送することができる。
また、搬送経路部の形状は上記のような平板状に限らず、上記実施の形態のような円弧曲面状としてもよく、上方に向かって湾曲する形状としてもよく、いずれの形状であっても、搬送経路部の搬送経路面の形状に応じて回転軸を配置してベルトを巻装させることでパチンコ玉を上方に搬送することができる。
【０１０１】
また、上記実施の形態では、複数の玉搬送ユニット５２０にて複数の補給樋５１０を連結する構成としたが、１つの玉搬送ユニット５２０のみを備えた構成としてもよい。
【０１０２】
そして、上記実施の形態では、遊技媒体として略球状のパチンコ玉Ｐを使用したが、例えば略楕円球状に形成されているものやその他の形状のものであってもよい。
【０１０３】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【０１０４】
遊技装置で遊技するための遊技媒体を搬送する遊技媒体搬送ユニットに利用できる。
【図面の簡単な説明】
【０１０５】
【図１】本発明に係る一実施の形態における遊技システムの一部を示す正面図である。
【図２】遊技システムの上部の玉搬送装置の一部を示す正面図である。
【図３】図２の玉搬送ユニットの近傍をさらに拡大した正面図である。
【図４】玉搬送装置における補給樋の斜視図である。
【図５】図３の玉搬送ユニットを拡大した拡大正面図である。
【図６】玉搬送ユニットの断面図である。
【図７】玉搬送ユニットを天面側から見た平面図である。
【図８】玉搬送ユニットにおける搬送ドラム部材を軸心に対して略直交する方向に断面した断面図である。
【図９】搬送ドラム部材を構成する芯部の斜視図である。
【図１０】搬送ドラム部材を構成するフィン設置筒部の斜視図である。
【符号の説明】
【０１０６】
２００  …島構造体
３００  …遊技装置を構成する遊技本体
４００  …遊技装置を構成する遊技媒体貸出装置
５００  …遊技媒体搬送システムとしての玉搬送装置
５１０  …搬送レーンとしての補給樋
５１４  …遊技媒体供給部としての玉補給シュート
５３２  …搬入口としての第一連結部
５３３  …搬出口としての第二連結部
５３４  …搬送部を構成する搬送経路部
５３４Ａ…搬送経路面を構成する曲面部
５３５  …移動状態検出手段、搬入状態検出手段、および押圧状態検出手段を構成する可動板
５３５Ｂ…回動軸としてのピン
５３５Ｃ…移動状態検出手段、搬入状態検出手段、および押圧状態検出手段を構成する付勢手段としての付勢ばね
５５０  …搬送部を構成する搬送部材としての搬送ドラム部材
５５４  …フィン
５６０  …搬送部を構成する駆動手段としての駆動部
Ｃ１    …移動状態検出手段および搬入状態検出手段を構成する下流状態検出手段としての樋側検出センサ
Ｃ２    …移動状態検出手段、搬入状態検出手段、および押圧状態検出手段を構成する可動板移動状態検出手段としての可動検出スイッチ
Ｃ３    …移動状態検出手段を構成する搬出状態検出手段としての搬出センサ
Ｃ４    …移動状態検出手段を構成する駆動状態検出手段としてのドラムトルクセンサ
Ｐ      …遊技媒体としてのパチンコ玉
【図１】
2008036235.tif 000003
【図２】
2008036235.tif 000004
【図３】
2008036235.tif 000005
【図４】
2008036235.tif 000006
【図５】
2008036235.tif 000007
【図６】
2008036235.tif 000008
【図７】
2008036235.tif 000009
【図８】
2008036235.tif 000010
【図９】
2008036235.tif 000011
【図１０】
2008036235.tif 000012